(57)【要約】【課題】    ペットボトルや自転車専用ボトル等の直径の違いに対応する為に基礎部及び挟持部の距離を調節可能な自転車用ボトルケージにおいて、例えば手袋を装着した手で素早く操作可能で、且つ距離調節に必要な操作工程数が少なく、且つシンプルで合理的な構造によって軽くて壊れにくいものが求められている。【解決手段】  挟持部（５１）を構成するアーム部（５）の他端部（７）を付勢力に逆らって操作することで、基礎部（５０）及び挟持部（５１）の距離を調節可能にする。【選択図】              図１６
2008105662.tif 000002
【特許請求の範囲】
【請求項１】
自転車に取り付け可能な基礎部と、前記基礎部に沿うように配置される挟持部と、前記基礎部の一端部及び前記挟持部の一端部を相対距離調節可能に連結する連結部と、を備え、前記基礎部の内側及び前記挟持部の内側で円筒形状のボトルの外周部を挟持し、且つ前記連結部の内側で前記ボトルの底部を係止することで前記ボトルを収容可能なボトルケージであって、
前記挟持部は、収容された前記ボトルの外周部を押圧する押圧部と、前記押圧部に一端部が接続される第１アーム部と、前記押圧部に一端部が接続される第２アーム部と、を備え、
前記連結部は、第１係合部及び第２係合部を備え前記基礎部に接続される支持部と、前記第１アーム部の他端部に接続され前記第１係合部に係合する第３係合部と、前記第２アーム部の他端部に接続され前記第２係合部に係合する第４係合部と、前記第１係合部に対する前記第３係合部の係合力が強くなる方向への付勢力と、を備え、
前記第１アーム部の他端部を前記第２アーム部の他端部に近づく方向に移動させることで前記係合力が弱くなる、
自転車用ボトルケージ。
【請求項２】
前記近づく方向とは、収容された前記ボトルの底部に対して略平行な方向である、
請求項１に記載の自転車用ボトルケージ。
【請求項３】
自転車に取り付け可能な基礎部と、前記基礎部に沿うように配置される挟持部と、前記基礎部の一端部及び前記挟持部の一端部を相対距離調節可能に連結する連結部と、を備え、前記基礎部の内側及び前記挟持部の内側で円筒形状のボトルの外周部を挟持し、且つ前記連結部の内側で前記ボトルの底部を係止することで前記ボトルを収容可能なボトルケージであって、
前記挟持部は、収容された前記ボトルの外周部を押圧する押圧部と、前記押圧部に一端部が接続される第１アーム部と、前記押圧部に一端部が接続される第２アーム部と、を備え、
前記連結部は、第１係合部及び第２係合部を備え前記基礎部に接続される支持部と、前記第１アーム部の他端部に接続され前記第１係合部に係合する第３係合部と、前記第２アーム部の他端部に接続され前記第２係合部に係合する第４係合部と、前記第１係合部に対する前記第３係合部の係合力が強くなる方向への付勢力と、を備え、
前記第１アーム部の他端部を前記第２アーム部の他端部から遠ざかる方向に移動させることで前記係合力が弱くなる、
自転車用ボトルケージ。
【請求項４】
前記遠ざかる方向とは、収容された前記ボトルの底部に対して略平行な方向である、
請求項３に記載の自転車用ボトルケージ。
【請求項５】
前記押圧部は、収容された前記ボトルの外周部に沿うように湾曲した棒状又は帯状であり、
前記押圧部の一端部及び他端部にそれぞれ、前記第１アーム部の一端部及び前記第２アーム部の一端部が接続される、
請求項１から請求項４のいずれかに記載の自転車用ボトルケージ。
【発明の詳細な説明】
【技術分野】
【０００１】
本発明は、ボトルを収容可能な自転車用ボトルケージに関する。
【背景技術】
【０００２】
自転車用ボトルケージにおいては、特許文献１のように自転車フレームのダウンチューブに設けられた二つのネジ穴部にネジ止めされる案や、特許文献２のようにシートチューブに設けられた二つのネジ穴部にネジ止めされる案が知られている。また、自転車フレームのヘッドチューブに二つのネジ穴部が設けられている場合もある。また、自転車のハンドルバー、シートレール又はシートポストをクランプして取り付けられる案が知られている。
【０００３】
【特許文献１】実開平０５−０８６７８４号公報
【特許文献２】特開平０７−２９１１６７号公報
【０００４】
また、ペットボトルや自転車専用ボトル等の直径の違いに対応する為に基礎部及び挟持部の距離を調節可能なスライド機構を備え、基礎部の内側及び挟持部の内側でボトルの外周部を挟持可能なものが販売されている。
また、自転車用ボトルケージは自身の素材の弾力性を利用して収容されるボトルを安定して保持する挟持部を有しているものが多い
【発明の開示】
【発明が解決しようとする課題】
【０００５】
ペットボトルや自転車専用ボトル等の直径の違いに対応する為に基礎部及び挟持部の距離を調節可能な自転車用ボトルケージにおいて、例えば手袋を装着した手で素早く操作可能で、且つ距離調節に必要な操作工程数が少なく、且つシンプルで合理的な構造によって軽くて壊れにくいものが求められている。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る自転車用ボトルケージは、例えば図１から６の組み、図９及び１０の組み、図１１及び１２の組み、図１３及び１４の組み、図１５から２０の組み、のいずれかの組みのように、
自転車に取り付け可能な基礎部５０と、基礎部５０に沿うように配置される挟持部５１と、基礎部５０の一端部５２及び挟持部５１の一端部５３を相対距離調節可能に連結する連結部５４と、を備え、基礎部５０の内側及び挟持部５１の内側で円筒形状のボトル９０の外周部９１を挟持し、且つ連結部５４の内側でボトル９０の底部９２を係止することでボトル９０を収容可能なボトルケージであって、
挟持部５１は、収容されたボトル９０の外周部９１を押圧する押圧部５５と、押圧部５５に一端部３が接続されるアーム部５と、押圧部５５に一端部４が接続されるアーム部６と、を備え、
連結部５４は、係合部９及び１０を備え基礎部５０に接続される支持部５６と、アーム部５の他端部７に接続され係合部９に係合する係合部１１と、アーム部６の他端部８に接続され係合部１０に係合する係合部１２と、係合部９に対する係合部１１の係合力が強くなる方向への付勢力と、を備え、
例えば図１、９、１１、１３及び１５からそれぞれ図２、１０、１２、１４及び１６への状態変化のように、アーム部５の他端部７をアーム部６の他端部８に近づく方向に移動させることで前記係合力が弱くなる、
自転車用ボトルケージである。
【０００８】
発明２に係る自転車用ボトルケージは、発明１の自転車用ボトルケージにおいて、
前記近づく方向とは、収容されたボトル９０の底部９２に対して略平行な方向である、
自転車用ボトルケージである。
【０００９】
発明３に係る自転車用ボトルケージは、発明１の自転車用ボトルケージにおいて、例えば図７から図８への状態変化のように、
アーム部５の他端部７をアーム部６の他端部８から遠ざかる方向に移動させることで前記係合力が弱くなる、
自転車用ボトルケージである。
【００１０】
発明４に係る自転車用ボトルケージは、発明３の自転車用ボトルケージにおいて、
前記遠ざかる方向とは、収容されたボトル９０の底部９２に対して略平行な方向である、
自転車用ボトルケージである。
【００１１】
発明５に係る自転車用ボトルケージは、発明１から４のいずれかの自転車用ボトルケージにおいて、
押圧部５５は、収容されたボトル９０の外周部９１に沿うように湾曲した棒状又は帯状であり、
押圧部５５の一端部１及び他端部２にそれぞれ、アーム部５の一端部３及びアーム部６の一端部４が接続される、
自転車用ボトルケージである。
【発明の効果】
【００１２】
以上のように本発明では、ペットボトルや自転車専用ボトル等の直径の違いに対応する為に基礎部５０及び挟持部５１の距離を調節可能であり、且つ手で触りやすいところに配置され比較的丈夫な他端部７を例えば手袋を装着した手で素早く操作可能であり、且つ調節操作後は付勢力によって係合部９及び１１の係合力が強くなることで操作完了するので操作工程数が非常に少なく、且つシンプルで合理的な構造によって軽くて壊れにくい自転車用ボトルケージを得やすい。
【発明を実施するための最良の形態】
【００１３】
〔第１実施形態〕
図１から６において、棒状の基礎部５０の中間部には二つの貫通穴が開けられており、基礎部５０の長手方向に沿うように基礎部５０の外側に形成された溝形状６０に自転車フレームのダウンチューブ外周を嵌めてから二つの貫通穴をそれぞれ貫通する二本のボルトによってダウンチューブ外周に設けられた二つのネジ穴部にネジ止めすることが出来る。
また、基礎部５０の内側の一端部５２及び他端部からそれぞれ立ち上がるように支持部５６及び係止部６１が形成されている。また支持部５６の先端部から一端部５２に向かう方向に、四角穴状の案内形状１７が形成されている。
また、挟持部５１は金属棒を曲げて一体成形されており、ボトル９０の外周部９１に沿うように湾曲した押圧部５５の一端部１及び他端部２からそれぞれ基礎部５０の長手方向におよそ沿うように伸びるアーム部５及び６から構成されている。
また、図４のように他端部７で曲げられた金属棒は先端部が内巻きに輪形状１５にされて、図１のように案内形状１７に挿入されてから輪形状１５が抜け出ない為の当たり１３を有する抜け止め５７が案内形状１７の入口にネジ５８で固定されている。このような構成によって、他端部７は輪形状１５を中心に底部９２に対して略平行な方向に揺動可能且つ直線運動可能であり、且つ挟持部５１の素材の弾力性による付勢力によって案内形状１７内周の係合部９に、他端部７及び輪形状１５の間の金属棒外周の係合部１１が強く係合されている。ここで、係合部９及び１１の少なくとも一方にローレット等の摺動抵抗を増加させる形状を設ける、又は係合部９及び１１が互いに嵌合するようなローレット等の嵌合形状を設ける等して他端部７の直線運動をより阻害すれば良い。また図２のように、他端部７を他端部８に近づく方向に揺動させることで他端部７に対する直線運動の阻害が無くなるように構成されている。
また、第１実施形態は図１から４のように中心線５９を中心とする対称形状であり、実際に対称構造となっている。
【００１４】
〔第２実施形態〕
第２実施形態は、第１実施形態の自転車用ボトルケージを小変更したものであり、変更部分について記載する。
図７及び８において、輪形状１５は外巻きにされている。
また、係合部９及び１０は他端部７及び８の内側に配置されており、図８のように挟持部５１の素材の弾力性による付勢力に逆らうように他端部７を他端部８から遠ざかる方向に揺動させることで他端部７に対する直線運動の阻害が無くなるように構成されている。
また、第２実施形態も図７及び８のように中心線５９を中心とする対称形状であり、実際に対称構造となっている。
【００１５】
〔第３実施形態〕
第３実施形態は、第１実施形態の自転車用ボトルケージを小変更したものであり、変更部分について記載する。
図９及び１０において、他端部７及び８からそれぞれ案内形状６６の内部に伸びる金属棒は連結片６５によって一体に連結されており、図９のように案内形状６６に挿入されてから連結片６５が抜け出ない為の当たり６４を有する抜け止め５７が案内形状６６の入口にネジ５８で固定されている。また連結片６５の適度な弾力性によって図１０のように他端部７及び８を手で握るようにして付勢力に逆らうように相対揺動させることが可能であるが、連結片６５が曲がりやすくなるように連結片６５の中間部にピボットを設けても良いだろう。
また、第３実施形態も図９及び１０のように中心線５９を中心とする対称形状であり、実際に対称構造となっている。
【００１６】
〔第４実施形態〕
第４実施形態は、第１実施形態の自転車用ボトルケージを小変更したものであり、変更部分について記載する。
図１１及び１２において、略Ｈ形断面を押し出したような形状の支持部５６の外周部に先端部から一端部５２に向かう方向に溝形状の案内形状６７と、ラックギア形状の係合部９及び１０が形成されている。
また、図１１のように他端部７で曲げられた金属棒は先端部にラックギア形状の谷部に係合する係合部１１を有する部材が固定されている。また案内形状６７に案内される連結片６５が外れない為の当たり６４を有する抜け止め５７が支持部５６の先端部にネジ５８で固定されている。また係合部１１を有する部材は連結片６５に固定される軸ピン２１を中心に揺動可能に支持されている。このような構成によって、他端部７は軸ピン２１を中心に底部９２に対して略平行な方向に揺動可能且つ直線運動可能であり、且つ挟持部５１の素材の弾力性による付勢力によって係合部９の谷部に係合部１１が強く係合されている図１１のような状態では直線運動不能となり、また図１２のように他端部７を他端部８に近づく方向に揺動させることで係合部９の谷部から係合部１１が外れて直線運動可能となるように構成されている。
また、第４実施形態も図１１及び１２のように中心線５９を中心とする対称形状であり、実際に対称構造となっている。
【００１７】
〔第５実施形態〕
第５実施形態は、第４実施形態の自転車用ボトルケージを小変更したものであり、変更部分について記載する。
図１３及び１４において、他端部８から伸びる金属棒の先端部は連結片６５に固定されており、また支持部５６外周部の係合部１０は支持部５６が挿入される連結片６５の貫通穴内周部の係合部１２に摺動自在に係合している。
【００１８】
〔第６実施形態〕
図１５から２０において、棒状の基礎部５０の中間部には二つの貫通穴が開けられており、基礎部５０の長手方向に沿うように基礎部５０の外側に形成された溝形状６０に自転車フレームのダウンチューブ外周を嵌めてから二つの貫通穴をそれぞれ貫通する二本のボルトによってダウンチューブ外周に設けられた二つのネジ穴部にネジ止めすることが出来る。
また、基礎部５０の内側の一端部５２及び他端部からそれぞれ立ち上がるように支持部５６及び係止部６１が形成されている。また支持部５６は途中から支柱部２３及び２４に分かれて伸びており、支柱部２３及び２４の間の支柱部２３外周部にはラックギア形状の係合部９が形成されており、支柱部２４外周部には摺動抵抗が少なく滑らかにされた係合部１０が形成されている。
また、挟持部５１は金属棒を曲げて一体成形されており、ボトル９０の外周部９１に沿うように湾曲した押圧部５５の一端部１及び他端部２からそれぞれ基礎部５０の長手方向におよそ沿うように伸びるアーム部５及び６から構成されている。
また、図１８のように他端部７及び８で曲げられた金属棒はそれぞれ先端部が潰されて板形状２５及び２６にされてから案内形状６８及び係合部１１を有する部材及び案内形状６９及び係合部１２を有する部材にそれぞれインサート成型されている。また案内形状６９に案内されるように案内形状６８を嵌め、図１５のように挟持部５１の素材の弾力性による付勢力に逆らうように他端部７及び８を近づけてから係合部１１及び１２をそれぞれ係合部９及び１０に係合させてから、連結片６５が抜け出ない為の当たり６４を有する抜け止め５７が支柱部２３及び２４の先端部を連結するように二本のネジ５８で固定されている。このような構成によって、他端部７は底部９２に対して略平行な方向の、支持部５６の長手方向、及び支持部５６の長手方向に対して略垂直な方向にそれぞれ直線運動可能であり、且つ挟持部５１の素材の弾力性による付勢力によって係合部９の谷部に係合部１１が強く係合されている図１５のような状態では支持部５６の長手方向に直線運動不能となり、また図１６のように他端部７を他端部８に近づく方向に直線運動させることで係合部９の谷部から係合部１１が外れて支持部５６の長手方向に直線運動可能となるように構成されている。
【００１９】
〔その他の実施形態〕
第１から第３実施形態において、抜け止め５７及び金属棒の隙間１９はそのままにしておいて、抜け止め５７及び金属棒の隙間２０を小さくして係合部１２が中心線５９に沿う方向にのみ滑らかに移動自在に係合部１０が案内するような構成が考えられる。
【００２０】
第１から第６実施形態において、曲げ加工によって成形された金属棒の部分をナイロン等の樹脂又は繊維強化樹脂の成型品に置き換えることは当業者にとって容易である。
【００２１】
第４から第６実施形態において、係合部１１を有する部材及び係合部１２を有する部材と、押圧部５５、アーム部５及び６を樹脂等で一体成型することは当業者にとって容易である。
【００２２】
第１、第３及び第６実施形態において、挟持部５１の素材の弾力性を積極的に利用せずに付勢力を得る場合は、他端部７及び８の間に圧縮バネ等の付勢部材を設置すれば良い。
また第２実施形態の場合は他端部７及び８の間に引張バネ等の付勢部材を設置すれば良い。
また第４及び第５実施形態の場合は係合部１１を有する部材及び連結片６５の間にネジリコイルバネ等の付勢部材を設置すれば良い。
【００２３】
第１から第６実施形態において、湾曲した棒状の押圧部５５を、ボトル９０の外周部９１に沿うような帯状にしても良い。
【００２４】
第１から第６実施形態において、ボトル９０の底部９２を係止する為に基礎部５０の一端部５２から立ち上がる凸形状の係止部を、連結部５４の内側に新たに設置しても良い。
【００２５】
第１から第６実施形態において、基礎部５０をネジ止めする替わりに、ハンドルバー等の棒状部に巻き止められる構造を基礎部５０に設けるような構成が考えられる。
【図面の簡単な説明】
【００２６】
【図１】基礎部５０及び挟持部５１の距離を最大にした第１実施形態を連結部５４側から見た破断面図
【図２】付勢力に逆らって他端部７及び８を近づけた第１実施形態を連結部５４側から見た破断面図
【図３】基礎部５０及び挟持部５１の距離を最小にした第１実施形態を連結部５４側から見た破断面図
【図４】第１実施形態を分解した破断面図（ネジ５８省略）
【図５】ボトル９０を収容した図１の第１実施形態をアーム部５側から見た図
【図６】ボトル９０を収容していない図３の第１実施形態をアーム部５側から見た図
【図７】基礎部５０及び挟持部５１の距離を最大にした第２実施形態を連結部５４側から見た破断面図
【図８】付勢力に逆らって他端部７及び８を遠ざけた第２実施形態を連結部５４側から見た破断面図
【図９】基礎部５０及び挟持部５１の距離を最大にした第３実施形態を連結部５４側から見た破断面図
【図１０】付勢力に逆らって他端部７及び８を近づけた第３実施形態を連結部５４側から見た破断面図
【図１１】基礎部５０及び挟持部５１の距離を最大にした第４実施形態を連結部５４側から見た破断面図
【図１２】付勢力に逆らって他端部７及び８を近づけた第４実施形態を連結部５４側から見た破断面図
【図１３】基礎部５０及び挟持部５１の距離を最大にした第５実施形態を連結部５４側から見た破断面図
【図１４】付勢力に逆らって他端部７及び８を近づけた第５実施形態を連結部５４側から見た破断面図
【図１５】基礎部５０及び挟持部５１の距離を最大にした第６実施形態を連結部５４側から見た断面図
【図１６】付勢力に逆らって他端部７及び８を近づけた第６実施形態を連結部５４側から見た断面図
【図１７】基礎部５０及び挟持部５１の距離を最小にした第６実施形態を連結部５４側から見た図
【図１８】第６実施形態を分解した断面図
【図１９】ボトル９０を収容した図１５の第６実施形態をアーム部５側から見た図
【図２０】ボトル９０を収容していない図１７の第６実施形態をアーム部５側から見た図
【符号の説明】
【００２７】
１,３,４,５２,５３.                          一端部
２,７,８.                                           他端部
５,６.                                               アーム部
９,１０,１１,１２.                           係合部
１３,１４,６４.                               当たり
１５,１６.                                        輪形状
１７,６６,６７,６８,６９.               案内形状
１９,２０.                                        隙間
２１,２２.                                        軸ピン
２３,２４.                                        支柱部
２５,２６.                                        板形状
５０.                                                基礎部
５１.                                                挟持部
５４.                                                連結部
５５.                                                押圧部
５６.                                                 支持部
５７,６２.                                        抜け止め
５８,６３.                                        ネジ
５９.                                                中心線
６０.                                                溝形状
６１.                                                 係止部
６５.                                             連結片
７０.                                                ネジ穴
９０.                                                ボトル
９１.                                                外周部
９２.                                                底部
９３.                                                蓋
【図１】
2008105662.tif 000003
【図２】
2008105662.tif 000004
【図３】
2008105662.tif 000005
【図４】
2008105662.tif 000006
【図５】
2008105662.tif 000007
【図６】
2008105662.tif 000008
【図７】
2008105662.tif 000009
【図８】
2008105662.tif 000010
【図９】
2008105662.tif 000011
【図１０】
2008105662.tif 000012
【図１１】
2008105662.tif 000013
【図１２】
2008105662.tif 000014
【図１３】
2008105662.tif 000015
【図１４】
2008105662.tif 000016
【図１５】
2008105662.tif 000017
【図１６】
2008105662.tif 000018
【図１７】
2008105662.tif 000019
【図１８】
2008105662.tif 000020
【図１９】
2008105662.tif 000021
【図２０】
2008105662.tif 000022
【手続補正書】
【提出日】平成19年10月5日(2007.10.5)
【手続補正１】
【補正対象書類名】特許請求の範囲
【補正対象項目名】全文
【補正方法】変更
【補正の内容】
【特許請求の範囲】
【請求項１】
自転車に取り付け可能な基礎部と、前記基礎部に沿うように配置される挟持部と、前記基礎部の一端部及び前記挟持部の一端部を相対距離調節可能に連結する連結部と、を備え、前記基礎部の内側及び前記挟持部の内側で円筒形状のボトルの外周部を挟持し、且つ前記連結部の内側で前記ボトルの底部を係止することで前記ボトルを収容可能なボトルケージであって、
前記挟持部は、収容された前記ボトルの外周部を押圧する押圧部と、前記押圧部に一端部が接続される第１アーム部と、前記押圧部に一端部が接続される第２アーム部と、を備え、
前記連結部は、第１係合部及び第２係合部を備え前記基礎部に接続される支持部と、前記第１アーム部の他端部及び前記第２アーム部の他端部を相対揺動又は相対直線運動可能に連結する連結片と、前記第１アーム部の他端部に接続され前記第１係合部に係合する第３係合部と、前記第２アーム部の他端部に接続され前記第２係合部に係合する第４係合部と、前記第１係合部に対する前記第３係合部の係合力が強くなる方向への付勢力と、を備え、
前記第１アーム部の他端部を前記第２アーム部の他端部に近づく方向に移動させることで前記係合力が弱くなる、
自転車用ボトルケージ。
【請求項２】
前記近づく方向とは、収容された前記ボトルの底部に対して略平行な方向である、
請求項１に記載の自転車用ボトルケージ。
【請求項３】
自転車に取り付け可能な基礎部と、前記基礎部に沿うように配置される挟持部と、前記基礎部の一端部及び前記挟持部の一端部を相対距離調節可能に連結する連結部と、を備え、前記基礎部の内側及び前記挟持部の内側で円筒形状のボトルの外周部を挟持し、且つ前記連結部の内側で前記ボトルの底部を係止することで前記ボトルを収容可能なボトルケージであって、
前記挟持部は、収容された前記ボトルの外周部を押圧する押圧部と、前記押圧部に一端部が接続される第１アーム部と、前記押圧部に一端部が接続される第２アーム部と、を備え、
前記連結部は、第１係合部及び第２係合部を備え前記基礎部に接続される支持部と、前記第１アーム部の他端部及び前記第２アーム部の他端部を相対揺動又は相対直線運動可能に連結する連結片と、前記第１アーム部の他端部に接続され前記第１係合部に係合する第３係合部と、前記第２アーム部の他端部に接続され前記第２係合部に係合する第４係合部と、前記第１係合部に対する前記第３係合部の係合力が強くなる方向への付勢力と、を備え、
前記第１アーム部の他端部を前記第２アーム部の他端部から遠ざかる方向に移動させることで前記係合力が弱くなる、
自転車用ボトルケージ。
【請求項４】
前記遠ざかる方向とは、収容された前記ボトルの底部に対して略平行な方向である、
請求項３に記載の自転車用ボトルケージ。
【請求項５】
前記押圧部は、収容された前記ボトルの外周部に沿うように湾曲した棒状又は帯状であり、
前記押圧部の一端部及び他端部にそれぞれ、前記第１アーム部の一端部及び前記第２アーム部の一端部が接続される、
請求項１から請求項４のいずれかに記載の自転車用ボトルケージ。
【手続補正２】
【補正対象書類名】明細書
【補正対象項目名】全文
【補正方法】変更
【補正の内容】
【発明の詳細な説明】
【技術分野】
【０００１】
本発明は、ボトルを収容可能な自転車用ボトルケージに関する。
【背景技術】
【０００２】
自転車用ボトルケージにおいては、特許文献１のように自転車フレームのダウンチューブに設けられた二つのネジ穴部にネジ止めされる案や、特許文献２のようにシートチューブに設けられた二つのネジ穴部にネジ止めされる案が知られている。また、自転車フレームのヘッドチューブに二つのネジ穴部が設けられている場合もある。また、自転車のハンドルバー、シートレール又はシートポストをクランプして取り付けられる案が知られている。
【０００３】
【特許文献１】実開平０５−０８６７８４号公報
【特許文献２】特開平０７−２９１１６７号公報
【０００４】
また、ペットボトルや自転車専用ボトル等の直径の違いに対応する為に基礎部及び挟持部の距離を調節可能なスライド機構を備え、基礎部の内側及び挟持部の内側でボトルの外周部を挟持可能なものが販売されている。
また、自転車用ボトルケージは自身の素材の弾力性を利用して収容されるボトルを安定して保持する挟持部を有しているものが多い
【発明の開示】
【発明が解決しようとする課題】
【０００５】
ペットボトルや自転車専用ボトル等の直径の違いに対応する為に基礎部及び挟持部の距離を調節可能な自転車用ボトルケージにおいて、例えば手袋を装着した手で素早く操作可能で、且つ距離調節に必要な操作工程数が少なく、且つシンプルで合理的な構造によって軽くて壊れにくいものが求められている。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係る自転車用ボトルケージは、例えば図９及び１０の組み、図１１及び１２の組み、図１３及び１４の組み、図１５から２０の組み、のいずれかの組みのように、
自転車に取り付け可能な基礎部５０と、基礎部５０に沿うように配置される挟持部５１と、基礎部５０の一端部５２及び挟持部５１の一端部５３を相対距離調節可能に連結する連結部５４と、を備え、基礎部５０の内側及び挟持部５１の内側で円筒形状のボトル９０の外周部９１を挟持し、且つ連結部５４の内側でボトル９０の底部９２を係止することでボトル９０を収容可能なボトルケージであって、
挟持部５１は、収容されたボトル９０の外周部９１を押圧する押圧部５５と、押圧部５５に一端部３が接続されるアーム部５と、押圧部５５に一端部４が接続されるアーム部６と、を備え、
連結部５４は、係合部９及び１０を備え基礎部５０に接続される支持部５６と、アーム部５の他端部７及びアーム部６の他端部８を相対的に例えば図９及び１０の組み、図１１及び１２の組み、図１３及び１４の組み、のいずれかの組みのように揺動可能に、又は例えば図１５から２０の組みのように相対直線運動可能に連結する連結片６５と、アーム部５の他端部７に接続され係合部９に係合する係合部１１と、アーム部６の他端部８に接続され係合部１０に係合する係合部１２と、係合部９に対する係合部１１の係合力が強くなる方向への付勢力と、を備え、
例えば図９、１１、１３及び１５からそれぞれ図１０、１２、１４及び１６への状態変化のように、アーム部５の他端部７をアーム部６の他端部８に近づく方向に移動させることで前記係合力が弱くなる、
自転車用ボトルケージである。
【０００８】
発明２に係る自転車用ボトルケージは、発明１の自転車用ボトルケージにおいて、
前記近づく方向とは、収容されたボトル９０の底部９２に対して略平行な方向である、
自転車用ボトルケージである。
【０００９】
発明３に係る自転車用ボトルケージは、発明１の自転車用ボトルケージにおいて、
アーム部５の他端部７をアーム部６の他端部８から遠ざかる方向に移動させることで前記係合力が弱くなる、
自転車用ボトルケージである。
【００１０】
発明４に係る自転車用ボトルケージは、発明３の自転車用ボトルケージにおいて、
前記遠ざかる方向とは、収容されたボトル９０の底部９２に対して略平行な方向である、
自転車用ボトルケージである。
【００１１】
発明５に係る自転車用ボトルケージは、発明１から４のいずれかの自転車用ボトルケージにおいて、
押圧部５５は、収容されたボトル９０の外周部９１に沿うように湾曲した棒状又は帯状であり、
押圧部５５の一端部１及び他端部２にそれぞれ、アーム部５の一端部３及びアーム部６の一端部４が接続される、
自転車用ボトルケージである。
【発明の効果】
【００１２】
以上のように本発明では、ペットボトルや自転車専用ボトル等の直径の違いに対応する為に基礎部５０及び挟持部５１の距離を調節可能であり、且つ手で触りやすいところに配置され比較的丈夫な他端部７を例えば手袋を装着した手で素早く操作可能であり、且つ調節操作後は付勢力によって係合部９及び１１の係合力が強くなることで操作完了するので操作工程数が非常に少なく、且つシンプルで合理的な構造によって軽くて壊れにくい自転車用ボトルケージを得やすい。
【発明を実施するための最良の形態】
【００１３】
〔第１参考例〕
図１から６において、棒状の基礎部５０の中間部には二つの貫通穴が開けられており、基礎部５０の長手方向に沿うように基礎部５０の外側に形成された溝形状６０に自転車フレームのダウンチューブ外周を嵌めてから二つの貫通穴をそれぞれ貫通する二本のボルトによってダウンチューブ外周に設けられた二つのネジ穴部にネジ止めすることが出来る。
また、基礎部５０の内側の一端部５２及び他端部からそれぞれ立ち上がるように支持部５６及び係止部６１が形成されている。また支持部５６の先端部から一端部５２に向かう方向に、四角穴状の案内形状１７が形成されている。
また、挟持部５１は金属棒を曲げて一体成形されており、ボトル９０の外周部９１に沿うように湾曲した押圧部５５の一端部１及び他端部２からそれぞれ基礎部５０の長手方向におよそ沿うように伸びるアーム部５及び６から構成されている。
また、図４のように他端部７で曲げられた金属棒は先端部が内巻きに輪形状１５にされて、図１のように案内形状１７に挿入されてから輪形状１５が抜け出ない為の当たり１３を有する抜け止め５７が案内形状１７の入口にネジ５８で固定されている。このような構成によって、他端部７は輪形状１５を中心に底部９２に対して略平行な方向に揺動可能且つ直線運動可能であり、且つ挟持部５１の素材の弾力性による付勢力によって案内形状１７内周の係合部９に、他端部７及び輪形状１５の間の金属棒外周の係合部１１が強く係合されている。ここで、係合部９及び１１の少なくとも一方にローレット等の摺動抵抗を増加させる形状を設ける、又は係合部９及び１１が互いに嵌合するようなローレット等の嵌合形状を設ける等して他端部７の直線運動をより阻害すれば良い。また図２のように、他端部７を他端部８に近づく方向に揺動させることで他端部７に対する直線運動の阻害が無くなるように構成されている。
また、第１参考例は図１から４のように中心線５９を中心とする対称形状であり、実際に対称構造となっている。
【００１４】
〔第２参考例〕
第２参考例は、第１参考例の自転車用ボトルケージを小変更したものであり、変更部分について記載する。
図７及び８において、輪形状１５は外巻きにされている。
また、係合部９及び１０は他端部７及び８の内側に配置されており、図８のように挟持部５１の素材の弾力性による付勢力に逆らうように他端部７を他端部８から遠ざかる方向に揺動させることで他端部７に対する直線運動の阻害が無くなるように構成されている。
また、第２参考例も図７及び８のように中心線５９を中心とする対称形状であり、実際に対称構造となっている。
【００１５】
〔第１実施形態〕
第１実施形態は、第１参考例の自転車用ボトルケージを小変更したものであり、変更部分について記載する。
図９及び１０において、他端部７及び８からそれぞれ案内形状６６の内部に伸びる金属棒は連結片６５によって一体に連結されており、図９のように案内形状６６に挿入されてから連結片６５が抜け出ない為の当たり６４を有する抜け止め５７が案内形状６６の入口にネジ５８で固定されている。また連結片６５の適度な弾力性によって図１０のように他端部７及び８を手で握るようにして付勢力に逆らうように相対揺動させることが可能であるが、連結片６５が曲がりやすくなるように連結片６５の中間部にピボットを設けても良いだろう。
また、第１実施形態も図９及び１０のように中心線５９を中心とする対称形状であり、実際に対称構造となっている。
【００１６】
〔第２実施形態〕
第２実施形態は、第１参考例の自転車用ボトルケージを小変更したものであり、変更部分について記載する。
図１１及び１２において、略Ｈ形断面を押し出したような形状の支持部５６の外周部に先端部から一端部５２に向かう方向に溝形状の案内形状６７と、ラックギア形状の係合部９及び１０が形成されている。
また、図１１のように他端部７で曲げられた金属棒は先端部にラックギア形状の谷部に係合する係合部１１を有する部材が固定されている。また案内形状６７に案内される連結片６５が外れない為の当たり６４を有する抜け止め５７が支持部５６の先端部にネジ５８で固定されている。また係合部１１を有する部材は連結片６５に固定される軸ピン２１を中心に揺動可能に支持されている。このような構成によって、他端部７は軸ピン２１を中心に底部９２に対して略平行な方向に揺動可能且つ直線運動可能であり、且つ挟持部５１の素材の弾力性による付勢力によって係合部９の谷部に係合部１１が強く係合されている図１１のような状態では直線運動不能となり、また図１２のように他端部７を他端部８に近づく方向に揺動させることで係合部９の谷部から係合部１１が外れて直線運動可能となるように構成されている。
また、第２実施形態も図１１及び１２のように中心線５９を中心とする対称形状であり、実際に対称構造となっている。
【００１７】
〔第３実施形態〕
第３実施形態は、第２実施形態の自転車用ボトルケージを小変更したものであり、変更部分について記載する。
図１３及び１４において、他端部８から伸びる金属棒の先端部は連結片６５に固定されており、また支持部５６外周部の係合部１０は支持部５６が挿入される連結片６５の貫通穴内周部の係合部１２に摺動自在に係合している。
【００１８】
〔第４実施形態〕
図１５から２０において、棒状の基礎部５０の中間部には二つの貫通穴が開けられており、基礎部５０の長手方向に沿うように基礎部５０の外側に形成された溝形状６０に自転車フレームのダウンチューブ外周を嵌めてから二つの貫通穴をそれぞれ貫通する二本のボルトによってダウンチューブ外周に設けられた二つのネジ穴部にネジ止めすることが出来る。
また、基礎部５０の内側の一端部５２及び他端部からそれぞれ立ち上がるように支持部５６及び係止部６１が形成されている。また支持部５６は途中から支柱部２３及び２４に分かれて伸びており、支柱部２３及び２４の間の支柱部２３外周部にはラックギア形状の係合部９が形成されており、支柱部２４外周部には摺動抵抗が少なく滑らかにされた係合部１０が形成されている。
また、挟持部５１は金属棒を曲げて一体成形されており、ボトル９０の外周部９１に沿うように湾曲した押圧部５５の一端部１及び他端部２からそれぞれ基礎部５０の長手方向におよそ沿うように伸びるアーム部５及び６から構成されている。
また、図１８のように他端部７及び８で曲げられた金属棒はそれぞれ先端部が潰されて板形状２５及び２６にされてから案内形状６８及び係合部１１を有する部材及び案内形状６９及び係合部１２を有する部材にそれぞれインサート成型されている。また案内形状６９に案内されるように案内形状６８を嵌め、図１５のように挟持部５１の素材の弾力性による付勢力に逆らうように他端部７及び８を近づけてから係合部１１及び１２をそれぞれ係合部９及び１０に係合させてから、連結片６５が抜け出ない為の当たり６４を有する抜け止め５７が支柱部２３及び２４の先端部を連結するように二本のネジ５８で固定されている。このような構成によって、他端部７は底部９２に対して略平行な方向の、支持部５６の長手方向、及び支持部５６の長手方向に対して略垂直な方向にそれぞれ直線運動可能であり、且つ挟持部５１の素材の弾力性による付勢力によって係合部９の谷部に係合部１１が強く係合されている図１５のような状態では支持部５６の長手方向に直線運動不能となり、また図１６のように他端部７を他端部８に近づく方向に直線運動させることで係合部９の谷部から係合部１１が外れて支持部５６の長手方向に直線運動可能となるように構成されている。
【００１９】
〔その他の実施形態〕
第１及び第２参考例、及び第１実施形態において、抜け止め５７及び金属棒の隙間１９はそのままにしておいて、抜け止め５７及び金属棒の隙間２０を小さくして係合部１２が中心線５９に沿う方向にのみ滑らかに移動自在に係合部１０が案内するような構成が考えられる。
【００２０】
第１及び第２参考例、及び第１から第４実施形態において、曲げ加工によって成形された金属棒の部分をナイロン等の樹脂又は繊維強化樹脂の成型品に置き換えることは当業者にとって容易である。
【００２１】
第２から第４実施形態において、係合部１１を有する部材及び係合部１２を有する部材と、押圧部５５、アーム部５及び６を樹脂等で一体成型することは当業者にとって容易である。
【００２２】
第１参考例、第１及び第４実施形態において、挟持部５１の素材の弾力性を積極的に利用せずに付勢力を得る場合は、他端部７及び８の間に圧縮バネ等の付勢部材を設置すれば良い。
また第２参考例の場合は他端部７及び８の間に引張バネ等の付勢部材を設置すれば良い。
また第２及び第３実施形態の場合は係合部１１を有する部材及び連結片６５の間にネジリコイルバネ等の付勢部材を設置すれば良い。
【００２３】
第１及び第２参考例、及び第１から第４実施形態において、湾曲した棒状の押圧部５５を、ボトル９０の外周部９１に沿うような帯状にしても良い。
【００２４】
第１及び第２参考例、及び第１から第４実施形態において、ボトル９０の底部９２を係止する為に基礎部５０の一端部５２から立ち上がる凸形状の係止部を、連結部５４の内側に新たに設置しても良い。
【００２５】
第１及び第２参考例、及び第１から第４実施形態において、基礎部５０をネジ止めする替わりに、ハンドルバー等の棒状部に巻き止められる構造を基礎部５０に設けるような構成が考えられる。
【図面の簡単な説明】
【００２６】
【図１】基礎部５０及び挟持部５１の距離を最大にした第１参考例を連結部５４側から見た破断面図
【図２】付勢力に逆らって他端部７及び８を近づけた第１参考例を連結部５４側から見た破断面図
【図３】基礎部５０及び挟持部５１の距離を最小にした第１参考例を連結部５４側から見た破断面図
【図４】第１参考例を分解した破断面図（ネジ５８省略）
【図５】ボトル９０を収容した図１の第１参考例をアーム部５側から見た図
【図６】ボトル９０を収容していない図３の第１参考例をアーム部５側から見た図
【図７】基礎部５０及び挟持部５１の距離を最大にした第２参考例を連結部５４側から見た破断面図
【図８】付勢力に逆らって他端部７及び８を遠ざけた第２参考例を連結部５４側から見た破断面図
【図９】基礎部５０及び挟持部５１の距離を最大にした第１実施形態を連結部５４側から見た破断面図
【図１０】付勢力に逆らって他端部７及び８を近づけた第１実施形態を連結部５４側から見た破断面図
【図１１】基礎部５０及び挟持部５１の距離を最大にした第２実施形態を連結部５４側から見た破断面図
【図１２】付勢力に逆らって他端部７及び８を近づけた第２実施形態を連結部５４側から見た破断面図
【図１３】基礎部５０及び挟持部５１の距離を最大にした第３実施形態を連結部５４側から見た破断面図
【図１４】付勢力に逆らって他端部７及び８を近づけた第３実施形態を連結部５４側から見た破断面図
【図１５】基礎部５０及び挟持部５１の距離を最大にした第４実施形態を連結部５４側から見た断面図
【図１６】付勢力に逆らって他端部７及び８を近づけた第４実施形態を連結部５４側から見た断面図
【図１７】基礎部５０及び挟持部５１の距離を最小にした第４実施形態を連結部５４側から見た図
【図１８】第４実施形態を分解した断面図
【図１９】ボトル９０を収容した図１５の第４実施形態をアーム部５側から見た図
【図２０】ボトル９０を収容していない図１７の第４実施形態をアーム部５側から見た図
【符号の説明】
【００２７】
１,３,４,５２,５３.                          一端部
２,７,８.                                           他端部
５,６.                                                アーム部
９,１０,１１,１２.                           係合部
１３,１４,６４.                                当たり
１５,１６.                                        輪形状
１７,６６,６７,６８,６９.               案内形状
１９,２０.                                        隙間
２１,２２.                                        軸ピン
２３,２４.                                        支柱部
２５,２６.                                        板形状
５０.                                                 基礎部
５１.                                                 挟持部
５４.                                                 連結部
５５.                                                 押圧部
５６.                                                 支持部
５７,６２.                                        抜け止め
５８,６３.                                        ネジ
５９.                                                 中心線
６０.                                                 溝形状
６１.                                                 係止部
６５.                                             連結片
７０.                                                 ネジ穴
９０.                                                 ボトル
９１.                                                 外周部
９２.                                                 底部
９３.                                                 蓋